(57)【特許請求の範囲】
【請求項１】
左右方向に伸延して周面に複数の耕耘爪を取り付けた耕耘軸の後方に、左右一対の移動輪を配設した歩行型の管理機において、
機体フレームに支持体を介して移動輪を転動自在に取り付け、同支持体に培土器を取り付けると共に、
培土器は、前記支持体に左右一対の培土器形成体を取り付けて形成し、
各培土器形成体は、移動輪の前方と外側方を遮蔽して培土機能を果たす培土使用位置と、移動輪の上方と内側方を遮蔽してフェンダー機能を果たす培土不使用位置とに位置変更自在となしたことを特徴とする管理機。
【請求項２】
前記支持体は、機体フレームに取り付ける基部片と、同基部片から垂設した左右一対の支持片と、各支持片にその軸線廻りに摺動回転させて位置変更自在に取り付けた取付片とを具備し、
各取付片に各移動輪を転動自在に取り付けると共に、各取付片に各培土器形成体を取り付けて、各取付片を介して各培土器形成体を培土使用位置と培土不使用位置とに位置変更可能となしたことを特徴とする請求項１記載の管理機。
【請求項３】
機体フレームに、耕耘作業時に使用する抵抗棒と、移動時及び培土時に使用する移動輪との相互の使用位置を振り替え自在に取り付けると共に、
培土使用位置において、左右に近接して対向する培土器形成体の端部同士の間に干渉回避用間隙を設け、同干渉回避用間隙を介して抵抗棒と各培土器形成体との干渉を回避するようにしたことを特徴とする請求項１又は２記載の管理機。
【発明の詳細な説明】
【技術分野】
【０００１】
本発明は、培土器を具備する管理機に関する。
【背景技術】
【０００２】
従来、管理機の一形態として、機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、機体フレーム後部に抵抗棒を取り付けたものがある。
【０００３】
そして、上記した管理機において、培土作業を行う時は、抵抗棒を取り外して、同抵抗棒の代わりに培土器を取り付けていた（例えば特許文献１に記載）。
【特許文献１】特開２００３−２８４４０１号公報
【発明の開示】
【発明が解決しようとする課題】
【０００４】
ところが、上記した管理機では、培土器と抵抗棒とを付け替える必要性があり、同培土器の取り付け・取り外し作業に手間を要していた。しかも、不使用時の培土器の収納場所の問題や、使用時に培土器を収納場所から取り出す手間等も要していた。
【０００５】
この発明は、上記問題を解決するためになされたもので、培土器の取り付け・取り外し作業の手間をなくすことができる管理機を提供することを目的とする。
【課題を解決するための手段】
【０００６】
請求項１に記載の発明は、左右方向に伸延して周面に複数の耕耘爪を取り付けた耕耘軸の後方に、左右一対の移動輪を配設した歩行型の管理機において、機体フレームに支持体を介して移動輪を転動自在に取り付け、同支持体に培土器を取り付けると共に、培土器は、前記支持体に左右一対の培土器形成体を取り付けて形成し、各培土器形成体は、移動輪の前方と外側方を遮蔽して培土機能を果たす培土使用位置と、移動輪の上方と内側方を遮蔽してフェンダー機能を果たす培土不使用位置とに位置変更自在となしたことを特徴とする管理機である。
【０００８】
請求項２に記載の発明は、前記支持体は、機体フレームに取り付ける基部片と、同基部片から垂設した左右一対の支持片と、各支持片にその軸線廻りに摺動回転させて位置変更自在に取り付けた取付片とを具備し、各取付片に各移動輪を転動自在に取り付けると共に、各取付片に各培土器形成体を取り付けて、各取付片を介して各培土器形成体を培土使用位置と培土不使用位置とに位置変更可能となしたことを特徴とする請求項１記載の管理機である。
【０００９】
請求項３に記載の発明は、機体フレームに、耕耘作業時に使用する抵抗棒と、移動時及び培土時に使用する移動輪との相互の使用位置を振り替え自在に取り付けると共に、培土使用位置において、左右に近接して対向する培土器形成体の端部同士の間に干渉回避用間隙を設け、同干渉回避用間隙を介して抵抗棒と各培土器形成体との干渉を回避するようにしたことを特徴とする請求項１又は２記載の管理機である。
【発明の効果】
【００１０】
（１）請求項１記載の本発明では、培土器を、培土機能を果たす培土使用位置と、培土機能を果たさない培土不使用位置とに位置変更自在となしているために、同培土器の取り付け・取り外し作業の手間をなくすことができる。しかも、不使用時の培土器の収納場所の問題や、使用時に培土器を収納場所から取り出す手間等も解消することができる。
【００１１】
また、請求項１記載の本発明では、培土器を形成する左右一対の培土器形成体を、移動輪の前方と外側方を遮蔽して培土機能を果たす培土使用位置と、移動輪の上方と内側方を遮蔽してフェンダー機能を果たす培土不使用位置とに位置変更自在となしているため、各培土器形成体を、使用位置と不使用位置のいずれの位置においても有効に機能させることができる。
【００１２】
（２）請求項２記載の本発明では、各培土器形成体は、支持片にその軸線廻りに摺動回転させて位置変更自在に取り付けた取付片を介して取り付けて、各培土器形成体を培土使用位置と培土不使用位置とに位置変更可能となしているため、各培土器形成体の使用位置（使用形態）を変更するための構造と操作を簡単にすることができる。
【００１３】
（３）請求項３記載の本発明では、干渉回避用間隙を介して抵抗棒と各培土器形成体との干渉を回避するようにしているため、耕耘作業時に使用する抵抗棒と、移動時及び培土時に使用する移動輪（培土時は尾輪として）との相互の使用位置を、楽に振り替えることができて、抵抗棒と各培土器形成体とを逐一付け替える手間や収納場所等の問題を解消することができる。
【発明を実施するための最良の形態】
【００１４】
以下に、本発明の実施の形態について説明する。
【００１５】
すなわち、本発明に係る管理機は、左右方向に伸延して周面に複数の耕耘爪を取り付けた耕耘軸の後方に、左右一対の移動輪を配設した歩行型の管理機において、機体フレームに支持体を介して移動輪を転動自在に取り付け、同支持体に培土器を取り付けると共に、培土器は、培土機能を果たす培土使用位置と、培土機能を果たさない培土不使用位置とに位置変更自在となしている。
【００１６】
そして、培土器は、前記支持体に左右一対の培土器形成体を取り付けて形成すると共に、各培土器形成体は、移動輪の前方と外側方を遮蔽して培土機能を果たす培土使用位置と、移動輪の上方と内側方を遮蔽してフェンダー機能を果たす培土不使用位置とに位置変更自在となしている。
【００１７】
しかも、前記支持体は、機体フレームに取り付ける取付片と、同取付片から垂設した左右一対の支持片とを具備し、各支持片に各移動輪を転動自在に取り付けると共に、各支持片にその軸線廻りに各培土器形成体を回転自在に取り付けて、各培土器形成体を培土使用位置と培土不使用位置とに位置変更可能となしている。
【００１８】
さらには、機体フレームに、耕耘作業時に使用する抵抗棒と、移動時及び培土時に使用する移動輪とを、それぞれ使用位置に振り替え自在に取り付けると共に、培土使用位置において、左右に近接して対向する培土器形成体の端部同士の間に干渉回避用間隙を設け、同干渉回避用間隙を介して抵抗棒と各培土器形成体との干渉を回避するようにしている。
【００１９】
以下に、本実施形態における管理機Ａを、図面を参照しながら説明する。
【００２０】
図１及び図２に示すＡは、本発明に係る管理機であり、同管理機Ａは、機体フレーム１上に原動機部２を設け、同原動機部２の後方に位置させて機体フレーム１の後部に上下方向に伸延するミッションケース４を設けて、同ミッションケース４の上部と原動機部２との間に伝動ケース３を介設している。そして、ミッションケース４の上部にハンドル３０の基端部を取り付ける一方、ミッションケース４の下部に耕耘部５を設けている。また、上記した機体フレーム１には、抵抗棒７と移動輪９，９とを、それぞれの使用位置を振り替え自在に取り付けている。１２はロータリカバー、１４は燃料タンクである。
【００２１】
そして、上記した機体フレーム１に移動輪支持体１１を介して移動輪９，９を転動自在に取り付け、同移動輪支持体１１に培土器形成体１０を取り付けている。
【００２２】
以下に、管理機Ａの各部の構造について説明する。
【００２３】
原動機部２は、機体フレーム１上にエンジンＥを載設し、同エンジンＥの上に燃料タンク１４を載置している。なお、図中、１５はフロントウエイトを兼ねたバンパーである。
【００２４】
伝動ケース３は、図３に示すように、エンジンＥの駆動軸４５に連動連結した出力プーリー５６ａと、ミッションケース４の入力軸４６に連動連結した入力プーリー５６ｂと、両プーリー５６ａ，５６ｂ間に弛緩状態に巻回した伝動ベルト５７と、同伝動ベルト５７の中途部にテンションローラ４７を介して作用するテンションアーム４８とから構成した伝動機構５９を具備している。
【００２５】
そして、伝動機構５９は、伝動ベルト５７をテンションアーム４８により緊張・弛緩させて動力を接続・切断して、エンジンＥからミッションケース４に動力を伝達することも、また、伝達停止させることもできるようにしている。テンションアーム４８の緊張・弛緩動作は、ワイヤ４１を介して後述するクラッチレバー１３の操作により行うようにしている。
【００２６】
ミッションケース４は、図１及び図２に示すように、機体フレーム１よりも上方に位置して伝動ケース３と連動連結している上部と、機体フレーム１よりも下方に位置して耕耘部５を形成している下部とを具備する。
【００２７】
耕耘部５は、ミッションケース４の下部に、左右幅方向に伸延するパイプ状の耕耘軸１７を横断貫通状態に設け、同耕耘軸１７の外周面に複数の耕耘爪を放射状に突出させて取り付けており、同耕耘爪は、内盛爪１８と外盛爪１９とから形成している。
【００２８】
そして、耕耘軸１７の左右外側端部には、それぞれサイドカバー体８，８をそれぞれ着脱自在に取り付けている。すなわち、サイドカバー体８，８は、パラボナアンテナ状にわずかに湾曲させた円板状に形成して、凸面をなす内側面の中央部に筒状の取付部３６を直交状態に突設し、同取付部３６をパイプ状に形成した耕耘軸１７の外側端部中に抜き差し自在に挿通して取り付けている。３７は、耕耘軸１７に取付部３６を固定するべく横断貫通状に挿通した固定ピンである。このようにして、サイドカバー体８，８は、耕耘軸１７の左右外側端部よりも外側方に耕耘土が飛散されるのを防止するようにしている。
【００２９】
作業部６は、ミッションケース４の上端部に斜め後方に伸延する操作部取付体２９を設け、同操作部取付体２９に連結ピン２８を介して外側上方に向けて伸延する左右一対のハンドル３０,３０の基端部を連結して、両ハンドル３０,３０を連結ピン２８を中心に回動させて折り畳み可能に構成している。そして、図１に示すように、ハンドル３０,３０の先端部にはそれぞれ握り部２０,２０を設け、左側の握り部２０の下方にデッドマン式のクラッチレバー１３を配設するとともに、握り部２０の前方にエンジン緊急停止用スイッチ４３を配設している。
【００３０】
ここで、クラッチレバー１３は、ワイヤ４１を介して、前記伝動ケース３内に設けたテンションクラッチに連動連結して、クラッチレバー１３を把持し続けることにより動力接続状態を保持する一方、把持を解除することにより動力切断状態となして、耕耘部５を駆動停止させることができるようにしている。そして、かかるクラッチレバー１３には、把持力軽減体６０を取り付けており、同把持力軽減体６０は、押圧し続けることによりクラッチレバー１３の把持力を軽減する軽減操作と、押圧解除により軽減操作及びクラッチレバー１３の把持操作を解除する解除操作とを可能としている。
【００３１】
図３に示すように、機体フレーム１の後部には、抵抗棒７と移動輪９，９とを相互に使用位置と不使用位置とに振り替える振替手段２７を設けている。すなわち、振替手段２７は、機体フレーム１の後端部に固定側部５０を固接し、同固定側部５０の上端部に可動側部５１の上端部を左右方向に軸線を向けた枢支ピン５２により枢支する一方、固定側部５０の下端部に設けたフック部５３に、可動側部５１の下端部に設けた係止ピン５４を振替レバー３４（図１に示す）により係合・離脱自在に係合させるようにしている。そして、固定側部５０に、背面視門型に形成した移動輪支持体１１の中途部を左右方向の軸線廻りに回動自在に取り付ける一方、可動側部５１に、上下方向に伸延させて棒状に形成した抵抗棒７の上部を取り付けて、同固定側部５０と移動輪支持体１１の中途部とを振替リンク機構５５を介して連動連結している。ここで、移動輪９,９は、移動輪支持体１１の左右下端部に左右方向に軸線を向けた転動軸２６,２６を介して転動自在に取り付けている。
【００３２】
このようにして、移動輪９,９が接地して転動する使用位置では、抵抗棒７が上方に跳ね上げられた不使用位置となり、同抵抗棒７の下端部が地中に貫入される使用位置では、移動輪９,９が上方に跳ね上げられた不使用位置となるように、振替レバー３４を操作することにより適宜振り替え自在となしている。
【００３３】
上記のような構成において、本発明の要旨は、機体フレーム１に移動輪支持体１１を介して移動輪９，９を転動自在に取り付け、同移動輪支持体１１に培土器Ｂを取り付けると共に、培土器Ｂは、培土機能を果たす培土使用位置と、培土機能を果たさない培土不使用位置とに位置変更自在となしたことにある。以下に、図３〜図５を参照しながら説明する。
【００３４】
図３〜図５に示すように、移動輪支持体１１は、左右方向に伸延するパイプ状の基部片２１と、同基部片２１の左右側端部を下方に略９０°屈曲させて形成した左右一対の支持片２２,２２と、各支持片２２,２２の外周面に嵌合させて取り付けたパイプ状の取付片２３,２３とから背面視門型に形成している。そして、前記振替手段２７の固定側部５０に基部片２１の中央部を左右方向の軸線廻りに回動自在に枢支し、各支持片２２,２２の下端部の外周面に、上下方向に伸延して各支持片２２,２２の軸線ａ廻りに摺動回転自在なパイプ状に形成した取付片２３,２３の上部を嵌合すると共に、各取付片２３,２３の下端部に、左右方向に軸線を向けた転動軸２６,２６を介して移動輪９,９を転動自在に取り付けている。
【００３５】
ここで、２４は、支持片２２に前後方向に貫通させて形成した支持片貫通孔、４２は、取付片２３に前後方向に貫通させて形成した取付片貫通孔であり、両孔２４,４２を符合させて差込ピン２５を抜き差し自在に差し込んで支持片２２に取付片２３を固定することができるようにしている。しかも、差込ピン２５を抜き差しすることにより、取付片２３を支持片２２の軸線ａ廻りに１８０°摺動回転（反転）させて、同取付片２３の向きを変更することができるようにしている。
【００３６】
上記のように構成した移動輪支持体１１に培土器Ｂを取り付けており、培土器Ｂは、上記取付片２３,２３にそれぞれ左右一対の培土器形成体１０,１０を取り付けて、両培土器形成体１０,１０を左右に隣接状態に配置して構成している。
【００３７】
そして、各培土器形成体１０は、培土使用位置において、移動輪９の前方を遮蔽する第１遮蔽体３１と、移動輪９の外側方を遮蔽する第２遮蔽体３２と、両遮蔽体３１,３２の間を接続して遮蔽する第３遮蔽体３３とを、板状体を略直角に折曲させて形成すると共に、培土不使用位置において、第１遮蔽体３１が移動輪９の上方を遮蔽し、第２遮蔽体３２が移動輪９の内側方を遮蔽してフェンダー機能を果たすように形成している。２７は、保形用の補強体である。
【００３８】
図３に示すように、支持片２２と取付片２３に各貫通孔２４,４２を介して貫通状態に差し込んでいる差込ピン２５を抜き取ると共に、取付片２３を支持片２２の軸線ａ回りに１８０°摺動回転させて位置変更（向きを変更）させることにより、培土器形成体１０を、移動輪９，９と一体的に位置変更（向きを変更）することができる。
【００３９】
このように、取付片２３を摺動回転させるだけで、各培土器形成体１０を培土使用位置と培土不使用位置とに簡単に位置変更可能となしているため、各培土器形成体１０の使用位置（使用形態）を変更するための構造と操作を簡単にすることができる。
【００４０】
しかも、培土器Ｂを形成する培土器形成体１０,１０は、移動輪９，９と一体的に取り付けているため、従来のように逐一培土器を準備する手間、さらには、取り付け・取り外し作業をする手間をなくすことができる。
【００４１】
次に、培土器形成体１０を培土使用する方法について、図４および図５を参照して説明する。
【００４２】
培土器形成体１０を培土使用形態に変更する際には、まず、左右いずれか一方の支持片２２と取付片２３に各貫通孔２４,４２を介して貫通状態に差し込んでいる差込ピン２５を抜き取る。続いて、同取付片２３を支持片２２の軸線ａ廻りに１８０°摺動回転させる。この際、第１遮蔽体３１が移動輪９の前方を遮蔽する位置に配置されると共に、第２遮蔽体３２が移動輪９の外側方を遮蔽する位置に配置される。その後、符合した各貫通孔２４,４２に差込ピン２５を貫通状態に差し込む。このようにして、図５に示すように、一方の培土器形成体１０について培土使用形態に変更することができる。そして、他方の培土器形成体１０についても同様の手順で培土使用形態に変更することができる。かかる培土使用形態では、移動輪９，９が尾輪として機能している。
【００４３】
ここで、培土使用形態にある左右一対の培土器形成体１０,１０は、第１遮蔽体３１,３１が耕耘部５により耕耘された耕耘土を前方へ押し出すと共に、外側方へ溢れ出た耕耘土を第２遮蔽体３２,３２と第３遮蔽体３３,３３とが外側後方へ案内して培土する。
【００４４】
培土器形成体１０を培土不使用形態に変更する際には、上記した培土使用形態から、同様の手順で差込ピン２５の抜き取り→取付片２３の１８０°摺動回転→差込ピン２５の差し込みを行って、図４に示すように、一方の培土器形成体１０について培土不使用形態に変更することができる。そして、他方の培土器形成体１０についても同様の手順で培土不使用形態に変更することができる。この状態で、機体の移動等の培土以外の作業を行うことができる。この際、第１遮蔽体３１,３１が移動輪９，９の上方に配置されると共に、第２遮蔽体３２が移動輪９の外側方を遮蔽する位置に配置されているため、この左右一対の培土器形成体１０,１０により、各移動輪９,９により付着土等が作業者側に跳ね上げられるのを防止するフェンダー機能を果たすことができる。
【００４５】
このように、培土器を形成する左右一対の培土器形成体１０を、移動輪９，９の前方と外側方を遮蔽して培土機能を果たす培土使用位置と、移動輪９，９の上方と内側方を遮蔽してフェンダー機能を果たす培土不使用位置とに位置変更自在となしているため、各培土器形成体１０を、使用位置と不使用位置のいずれの位置においても有効に機能させることができる。
【００４６】
また、培土使用位置において、左右に近接して対向している培土器形成体１０,１０の第１遮蔽体３１,３１の内側端縁部４０,４０同士の間には、直状に上下方向に伸延する干渉回避用間隙３５を設けて、同干渉回避用間隙３５中を通して、上下方向に伸延する棒状の抵抗棒７を移動可能として、同抵抗棒と各培土器形成体１０とが干渉するのを回避している。すなわち、抵抗棒７と移動輪９，９の相互の使用位置を振り替える際には、抵抗棒７が下降されて使用位置に配置されると共に、移動輪９，９と一体的に培土器形成体１０,１０は、上方に跳ね上げられて不使用位置に配置され、また、移動輪９，９と一体的に培土器形成体１０,１０が下降されて使用位置に配置されると共に、抵抗棒７は、上方に跳ね上げられて不使用位置に配置される。その振り替えがなされる両者の移動時に、両者が交差する瞬間が発生するが、その際、抵抗棒７は、上記干渉回避用間隙３５内を移動して、両培土器形成体１０,１０と干渉しないようにしている。ここで、干渉回避用間隙３５の間隔は、可及的に短幅に形成して培土機能を良好に確保する必要性があるが、少なくとも抵抗棒７の外径よりも広幅に形成する。
【００４７】
このようにして、干渉回避用間隙３５を介して抵抗棒７と各培土器形成体１０との干渉を回避するようにしているため、耕耘作業時に使用する抵抗棒７と、移動時及び培土時に使用する移動輪９，９（培土時は尾輪として）とを、相互の使用位置にスムーズに振り替えることができて、両者が干渉して損傷・変形等するという不具合の発生を防止することができる。従って、抵抗棒７と各培土器形成体１０とを逐一付け替える手間や収納場所等の問題を解消することができる。
【図面の簡単な説明】
【００４８】
【図１】この発明の実施の形態における管理機の移動輪に培土器形成体を取り付けた全体構成を示す側面図である。
【図２】この発明の実施の形態における管理機の移動輪に培土器形成体を取り付けた全体構成を示す平面図である。
【図３】この発明の実施の形態における管理機の移動輪に培土器形成体を取り付けた状態の一部を拡大させた側面図である。
【図４】この発明の実施の形態における管理機の培土器形成体を培土不使用位置に位置させた状態を示す斜視図である。
【図５】この発明の実施の形態における管理機の培土器形成体を培土使用位置に位置させた状態を示す斜視図である。
【符号の説明】
【００４９】
Ａ  管理機
１  機体フレーム
７  抵抗棒
９  移動輪
１０  培土器形成体
１１  支持体
１７  耕耘軸
１８,１９  耕耘爪
２１  基部片
２２  支持片
３５  干渉回避用間隙
【図１】
0005149027.tif 000002
【図２】
0005149027.tif 000003
【図３】
0005149027.tif 000004
【図４】
0005149027.tif 000005
【図５】
0005149027.tif 000006